(57)【要約】      （修正有）【課題】構造が単純で、生産及び取付プロセスが便利で迅速であり、低コストで、引き込み操作を実現するために押し上げた後、引き下げるか又はねじるだけでよく、使用しやすい折り畳み式テント用センターロックを提供する。【解決手段】センターロックロッド１、センターロックロッドの一端に固定配置される上部ロックディスク２、他端に分離可能に接続される下部ロックディスクアセンブリを備え、下部ロックディスクアセンブリ内に弾性係止部材４及び弾性係止部材の係合を制御するロック解除機構５、６が設けられ、弾性係止部材は一体配置されるアーク部及びアーク部ノッチから内部へ延在する水平状の２つのロックレバーを含み、センターロックロッドの下端部にロックレバーと協働するロックスロット及びロックスロットの下端にある係止部が設けられる。【選択図】図４
0003225802.tif 000002
【実用新案登録請求の範囲】
【請求項１】
センターロックロッド（１）、前記センターロックロッド（１）の一端に固定配置される上部ロックディスク（２）、前記センターロックロッド（１）の他端に分離可能に設けられる下部ロックディスクアセンブリ（３）を備える折り畳み式テント用センターロックにおいて、
前記下部ロックディスクアセンブリ（３）内に弾性係止部材（４）及び前記弾性係止部材（４）の係合を制御するためのロック解除機構が設けられ、前記弾性係止部材（４）が一体配置されるアーク部（４０１）及び前記アーク部のノッチから内部へ延在する水平状の２つのロックレバー（４０２）を含み、前記センターロックロッド（１）の下端部に前記ロックレバー（４０２）と協働するロックスロット（１０１）及び前記ロックスロット（１０１）の下端にある係止部（１０２）が設けられることを特徴とする折り畳み式テント用センターロック。
【請求項２】
前記下部ロックディスクアセンブリ（３）は上部ディスク（３０１）、中間ディスク（３０２）及び下部ディスク（３０３）を含み、前記上部ディスク（３０１）がテントの短骨にヒンジ連結され、前記上部ディスク（３０１）がねじによって前記中間ディスク（３０２）と固定接続され、前記中間ディスク（３０２）と前記上部ディスク（３０１）との間に、前記弾性係止部材（４）を置くためのスペースが設けられ、前記下部ディスク（３０３）が前記中間ディスク（３０２）の下端に嵌合され、前記中間ディスク（３０２）の下端外壁にガイド柱（３０４）が対称的に配置され、前記下部ディスク（３０３）の内壁において、前記ガイド柱（３０４）に対応する位置にガイド溝（３０５）が設けられ、前記ロック解除機構がロック解除ブロック（５）及び前記ロック解除ブロック（５）の下端に固定配置されるロック解除柱（６）を含み、前記ロック解除柱（６）が前記中間ディスク（３０２）を貫通して前記下部ディスク（３０３）まで延在した後、ねじで固定され、前記ロック解除ブロック（５）は上部が広くて下部が狭い台形を成し、ロック状態にあるとき、前記ロック解除ブロック（５）の下端の狭い部分が前記弾性係止部材（４）のノッチ位置に係止されることを特徴とする請求項１に記載の折り畳み式テント用センターロック。
【請求項３】
前記下部ロックディスクアセンブリ（３）は、上部ディスク（３０１）及び中央ベース（３０６）を含み、前記上部ディスク（３０１）と前記中央ベース（３０６）とがねじによって固定接続され、前記上部ディスク（３０１）と前記中央ベース（３０６）の上部との間に前記弾性係止部材（４）を置くためのスペースが設けられ、前記ロック解除機構が前記中央ベース（３０６）を貫通して前記弾性係止部材（４）を係止することを特徴とする請求項１に記載の折り畳み式テント用センターロック。
【請求項４】
前記ロック解除機構はロック解除ブロック（５）、前記ロック解除ブロック（５）の下端に固定配置されるロック解除柱（６）、前記ロック解除柱（６）に嵌合される圧縮ばね（７）、ボタンカバー（８）、傾斜した円錐面ブロック（９）を含み、前記ボタンカバー（８）が前記中央ベース（３０６）の底部に係合され、前記ロック解除柱（６）が前記中央ベース（３０６）を貫通した後、前記ボタンカバー（８）に固定され、前記ロック解除ブロック（５）の断面が三角形を成し、かつ一端面が弧状に配置され、前記弾性係止部材（４）のアーク部の中部が前記ロック解除ブロック（５）のアーク状面の上端に当たって係止され、前記傾斜した円錐面ブロック（９）が前記弾性係止部材（４）のノッチ位置に対応して配置されることを特徴とする請求項３に記載の折り畳み式テント用センターロック。
【請求項５】
前記ロック解除機構は柱状ロック解除ブロック（１０）、前記柱状ロック解除ブロック（１０）の下部に設けられるロック解除柱（６）、圧縮ばね（７）、プルリング（１１）、プルリング固定ブロック（１２）、傾斜した円錐面ブロック（９）を含み、前記プルリング固定ブロック（１２）が前記中央ベース（３０６）の底部に固定配置され、前記圧縮ばね（７）が前記ロック解除柱（６）に嵌合され、前記ロック解除柱（６）が前記プルリング固定ブロック（１２）を貫通した後、その端部に前記プルリング（１１）が設けられ、前記柱状ロック解除ブロック（１０）の片側面にアーク状ノッチ（１３）が設けられ、前記弾性係止部材（４）のアーク部の中部位置が前記アーク状ノッチ（１３）の下端に当たり、前記傾斜した円錐面ブロック（９）が前記弾性係止部材（４）のノッチ位置に対応して配置されることを特徴とする請求項３に記載の折り畳み式テント用センターロック。
【請求項６】
前記傾斜した円錐面ブロック（９）は、前記弾性係止部材（４）のノッチ位置に近い一端の幅は狭く、前記弾性係止部材（４）のノッチ位置から離れた一端の幅は広いことを特徴とする請求項４又は５に記載の折り畳み式テント用センターロック。
【請求項７】
前記傾斜した円錐面ブロック（９）は、前記上部ディスク（３０１）の底面又は前記中央ベース（３０６）の上端面に設けられることを特徴とする請求項４又は５に記載の折り畳み式テント用センターロック。
【請求項８】
前記下部ロックディスクアセンブリ（３）は前記上部ディスク（３０１）及び回転台（３０７）を含み、前記上部ディスク（３０１）の下底面に中空構造の中心軸（３０８）が設けられ、前記回転台（３０７）に前記中心軸（３０８）の貫通用中央穴（３０９）が設けられ、前記回転台（３０７）の外壁に間隔をあけた２つの外部環状取付溝（３１０）が設けられ、前記中心軸（３０８）の外壁において、２つの前記外部環状取付溝（３１０）に対応する位置に２つの内部環状取付溝が設けられ、２つの前記外部環状取付溝（３１０）間に外部制限ブロック（３１１）が設けられ、２つの前記内部環状取付溝間に内部制限ブロック（３１２）が設けられ、前記弾性係止部材（４）が前記外部環状取付溝（３１０）内に入った後、前記弾性係止部材（４）のノッチ外側がそれぞれ２つの前記外部制限ブロック（３１１）に当たり、２つの前記ロックレバー（４０２）がそれぞれ２つの前記内部制限ブロック（３１２）に当たることを特徴とする請求項２に記載の折り畳み式テント用センターロック。
【請求項９】
２つの前記ロックレバー（４０２）間の幅は、前記内部制限ブロック（３１２）の幅以上であることを特徴とする請求項８に記載の折り畳み式テント用センターロック。
【考案の詳細な説明】
【技術分野】
【０００１】
本考案は折り畳み式テントの部品の技術分野に属し、具体的に折り畳み式テント用センターロックに関する。
【背景技術】
【０００２】
テント業界の発展に伴い、折りたたみテントが広く使用され、センターロックはテントの展開と折りたたみの収納を実現するための重要な部材である。従来のセンターロックは、構造がより複雑で、展開及び折りたたんで収納するための手順がより複雑で、操作する上でより面倒的であり、ユーザーに不便をもたらすため、その急速な発展を制限する。
【考案の概要】
【考案が解決しようとする課題】
【０００３】
従来の技術に存在する問題を考慮して、本考案の目的は、折り畳み式テント用センターロックを提供することである。
【課題を解決するための手段】
【０００４】
本考案は、以下の技術的解決手段によって実現される。
【０００５】
センターロックロッド、前記センターロックロッドの一端に固定配置される上部ロックディスク、前記センターロックロッドの他端に分離可能に設けられる下部ロックディスクアセンブリを備える折り畳み式テント用センターロックにおいて、前記下部ロックディスクアセンブリ内に弾性係止部材及び前記弾性係止部材の係合を制御するためのロック解除機構が設けられ、前記弾性係止部材が一体配置されるアーク部及び前記アーク部ノッチから内部へ延在する水平状の２つのロックレバーを含み、前記センターロックロッドの下端部に前記ロックレバーと協働するロックスロット及び前記ロックスロットの下端にある係止部が設けられることを特徴とする。
【０００６】
前記下部ロックディスクアセンブリは上部ディスク、中間ディスク及び下部ディスクを含み、前記上部ディスクがテントの短骨にヒンジ連結され、前記上部ディスクがねじによって前記中間ディスクと固定接続され、前記中間ディスクと前記上部ディスクとの間に、弾性係止部材を置くためのスペースが設けられ、前記下部ディスクが前記中間ディスクの下端に嵌合され、前記中間ディスクの下端外壁にガイド柱が対称的に配置され、前記下部ディスクの内壁において、前記ガイド柱に対応する位置にガイド溝が設けられ、前記ロック解除機構がロック解除ブロック及び前記ロック解除ブロックの下端に固定配置されるロック解除柱を含み、前記ロック解除柱が前記中間ディスクを貫通して前記下部ディスクまで延在した後、ねじで固定され、前記ロック解除ブロックは上部が広くて下部が狭い台形を成し、ロック状態にあるとき、前記ロック解除ブロックの下端の狭い部分が前記弾性係止部材のノッチ位置に係止されることを特徴とする。
【０００７】
前記下部ロックディスクアセンブリは上部ディスク及び中央ベースを含み、前記上部ディスクと前記中央ベースとがねじによって固定接続され、前記上部ディスクと前記中央ベースの上部との間に前記弾性係止部材を置くためのスペースが設けられ、前記ロック解除機構が前記中央ベースを貫通して前記弾性係止部材を係止することを特徴とする。
【０００８】
前記ロック解除機構はロック解除ブロック、前記ロック解除ブロックの下端に固定配置されるロック解除柱、前記ロック解除柱に嵌合される圧縮ばね、ボタンカバー、傾斜した円錐面ブロックを含み、前記ボタンカバーが前記中央ベースの底部に係合され、前記ロック解除柱が前記中央ベースを貫通した後、前記ボタンカバーに固定され、前記ロック解除ブロックの断面が三角形を成し、かつ一端面が弧状に配置され、前記弾性係止部材のアーク部の中部が前記ロック解除ブロックのアーク状面の上端に当たって係止され、前記傾斜した円錐面ブロックが前記弾性係止部材のノッチ位置に対応して配置されることを特徴とする。
【０００９】
前記ロック解除機構は柱状ロック解除ブロック、前記柱状ロック解除ブロックの下部に設けられるロック解除柱、圧縮ばね、プルリング、プルリング固定ブロック、傾斜した円錐面ブロックを含み、前記プルリング固定ブロックが前記中央ベースの底部に固定配置され、前記圧縮ばねが前記ロック解除柱に嵌合され、前記ロック解除柱が前記プルリング固定ブロックを貫通した後、その端部に前記プルリングが設けられ、前記柱状ロック解除ブロックの片側面にアーク状ノッチが設けられ、前記弾性係止部材のアーク部の中部位置が前記アーク状ノッチの下端に当たり、前記傾斜した円錐面ブロックが前記弾性係止部材のノッチ位置に対応して配置されることを特徴とする。
【００１０】
前記傾斜した円錐面ブロックは、前記弾性係止部材のノッチ位置に近い一端の幅は狭く、前記弾性係止部材のノッチ位置から離れた一端の幅は広いことを特徴とする。
【００１１】
前記傾斜した円錐面ブロックは前記上部ディスクの底面又は前記中央ベースの上端面に設けられることを特徴とする。
【００１２】
前記下部ロックディスクアセンブリは前記上部ディスク及び回転台を含み、前記上部ディスクの下底面に中空構造の中心軸が設けられ、前記回転台に前記中心軸の貫通用中央穴が設けられ、前記回転台の外壁に間隔をあけた２つの外部環状取付溝が設けられ、前記中心軸の外壁において、２つの前記外部環状取付溝に対応する位置に２つの内部環状取付溝が設けられ、２つの前記外部環状取付溝間に外部制限ブロックが設けられ、２つの前記内部環状取付溝間に内部制限ブロックが設けられ、前記弾性係止部材が前記外部環状取付溝内に入った後、前記弾性係止部材のノッチ外側がそれぞれ２つの前記外部制限ブロックに当たり、２つのロックレバーがそれぞれ２つの内部制限ブロックに当たることを特徴とする。
【００１３】
２つの前記ロックレバー間の幅は、前記内部制限ブロックの幅以上であることを特徴とする。
【考案の効果】
【００１４】
本考案は、構造が単純で、実施が容易で、生産及び取付プロセスが便利で迅速であり、低コストである。同時に、該センターロック構造は操作しやすく、押し上げて引き下げるか、又はねじるだけで引き込み操作を実現でき、使用しやすく、推進使用が簡単である。
【図面の簡単な説明】
【００１５】
【図１】本考案による弾性係止部材の概略構造図である。
【図２】実施例１のセンターロックの全体構造の概略図である。
【図３】図２の上部ロックディスクが外されたときの概略構造図である。
【図４】図２の展開図である。
【図５】実施例１の下部ロックディスクアセンブリの概略構造図である。
【図６】実施例１においてセンターロックを折り畳み式テントに取り付けられた概略構造図である。
【図７】実施例２のセンターロックの全体構造の概略図である。
【図８】図７の上部ロックディスクが外されたときの概略構造図である。
【図９】図７の展開図である。
【図１０】実施例２の下部ロックディスクアセンブリの概略構造図である。
【図１１】実施例２において、センターロックを折り畳み式テントに取り付けた概略構成図である。
【図１２】実施例３におけるセンターロックの全体構造の概略図である。
【図１３】図１２の上部ロックディスクが外されたときの概略構造図である。
【図１４】図１２の展開図である。
【図１５】実施例３による下部ロックディスクアセンブリの概略構造図である。
【図１６】実施例３において、センターロックを折り畳み式テントに取り付けた概略構造図である。
【図１７】実施例４におけるセンターロックの全体構造の概略図である。
【図１８】図１７の上部ロックディスクが外されたときの概略構造図である。
【図１９】図１７の展開図である。
【図２０】実施例３における下部ロックディスクアセンブリの概略構造図である。
【図２１】図１７の断面図である。
【図２２】図２１のＡ−Ａ断面図である。
【図２３】実施例３において、センターロックを折り畳み式テントに取り付けた概略構造図である。
【考案を実施するための形態】
【００１６】
本考案について、本明細書の添付図面を参照して以下でさらに詳細に説明し、特定の実施例を与える。
【００１７】
本考案の折り畳み式テント用センターロックは、センターロックロッド、センターロックロッドの一端に固定配置される上部ロックディスク、センターロックロッドの他端に分離可能に設けられる下部ロックディスクアセンブリを備える。下部ロックディスクアセンブリ内に弾性係止部材、及び弾性係止部材の係合を制御するためのロック解除機構が設けられる。上部ロックディスクが折り畳み式テントの長骨にヒンジ連結され、下部ロックディスクアセンブリが折り畳み式テントの短骨にヒンジ連結される。図１に示すように、本考案による弾性係止部材が一体配置されたアーク部及びアーク部のノッチから内部へ延在する水平状の２つのロックレバーを含み、センターロックロッドの下端部にロックレバーと協働するロックスロット及びロックスロット下端にある係止部が設けられている。
【００１８】
実施例１
図２〜６に示すように、該実施例の下部ロックディスクアセンブリは、上部ディスク、中間ディスク及び下部ディスクを含む。上部ディスクは、テントの短骨にヒンジ連結される。上部ディスクがねじによって中間ディスクと固定接続され、中間ディスクと上部ディスクとの間に弾性係止部材を置くためのスペースが設けられる。下部ディスクは、中間ディスクの下端に嵌合され、中間ディスク下端の外壁にガイド柱が対称的に配置され、下部ディスクの内壁において、ガイド柱に対応する位置にガイド溝が設けられ、ガイド柱がガイド溝と協働する。それにより、中間ディスク及び上部ディスクが上下移動しやすい。ロック解除機構は、ロック解除ブロック及びロック解除ブロックの下端に固定配置されるロック解除柱を含む。ロック解除柱は、中間ディスクを貫通して下部ディスクまで延在した後、ねじで固定される。ロック解除ブロックは、上部が広くて下部が狭い台形に成し、ロック状態にあるとき、ロック解除ブロックの下端の狭い部分が弾性係止部材のノッチ位置に係止される。
【００１９】
ロックを解除するとき、中間ディスクが手で上方に押され、ガイド柱とガイド溝の作用により中間ディスクが上方に移動する。これにより、中間ディスクと上部ディスクの間に取り付けられた弾性係止部材を、駆動させてロック解除ブロックに沿って上方に移動させ、上方に移動させている中に、２つのロックレバー間の距離がロック解除ブロックによって徐々に延長され、ロックレバーがロックスロットから解放され、センターロックロッドが弾性係止部材から解放され、ロックを解除し、テントの折り畳みを達成することができる。
【００２０】
実施例２
図７〜１１に示すように、本実施例において、下部ロックディスクアセンブリは上部ディスク及び中央ベースを含む。上部ディスクと中央ベースとが、ねじで固定接続され、上部ディスクと中央ベースの上部との間に弾性係止部材を置くためのスペースが設けられる。ロック解除機構が、中央ベースを貫通して弾性係止部材を封止し、ロック解除ブロック、ロック解除ブロックの下端に固定配置されるロック解除柱、ロック解除柱に嵌合される圧縮ばね、ボタンカバー、傾斜した円錐面ブロックを含む。ボタンカバーが中央ベースの底部に係合され、ロック解除柱が中央ベースを貫通した後、ボタンカバーに固定される。ロック解除ブロックの断面が、三角形を成し、一端面がアーク状に設けられ、弾性係止部材のアーク部の中部が、ロック解除ブロックのアーク状面の上端に当接される。傾斜した円錐面ブロックが弾性係止部材のノッチ位置に対応配置され、係止部材のノッチ位置に近接する傾斜した円錐面ブロックの一端の幅が狭く、係止部材のノッチ位置から離れた一端の幅が広い。該傾斜した円錐面ブロックは、上部ディスクの底面に設けられる。
【００２１】
該構造として設けられたセンターロックは、ロックを解除するとき、まずボタンカバーを押してそれを上に移動させ、ロック解除柱及びロック解除ブロックを上に移動するように駆動させ、上に移動している中に、ロック解除ブロックが弾性係止部材を徐々に押してロック解除ブロックから離れる方向に水平移動させ、弾性係止部材の水平移動中に、そのノッチ位置が傾斜した円錐面ブロックによって徐々に拡大される。それにより、ロックレバーがロックスロットから解放され、センターロックロッドが弾性係止部材から解放され、ロック解除を実現する。即ち、テントの折り畳みを実現し、ロック解除した後、ボタンカバーを放すと、ロック解除ブロックが圧縮ばねによってリセットされる。
【００２２】
実施例３
図１２〜１６に示すように、本実施例の構造は、基本的に実施例２と同様であり、違いはロック解除機構の具体的な構造にあって、柱状ロック解除ブロック、柱状ロック解除ブロックの下部に設けられるロック解除柱、圧縮ばね、プルリング、プルリング固定ブロック、傾斜した円錐面ブロックを含む。プルリング固定ブロックが中央ベースの底部に固定配置され、圧縮ばねがロック解除柱に嵌合され、ロック解除柱がプルリング固定ブロックを貫通した後、その端部にプルリングが設けられる。柱状ロック解除ブロックの片側面にアーク状ノッチが設けられ、弾性係止部材のアーク部の中部位置がアーク状ノッチの下端に当たり、傾斜した円錐面ブロックが弾性係止部材のノッチ位置に対応配置され、具体的に、傾斜した円錐面ブロックが中央ベース内に設けられる。
【００２３】
ロックを解除するとき、プルリングを引き下げ、ロック解除ブロックが下に移動し、ロック解除ブロックの下への移動中に、弾性係止部材を水平方向に移動させ、弾性係止部材の水平移動中に、そのノッチ位置が傾斜した円錐面ブロックによって徐々に拡大され、ロックレバーがロックスロットから解放され、センターロックロッドが弾性係止部材から解放され、ロック解除を実現する。即ち、テントの折り畳みを実現し、ロック解除した後、ボタンカバーを放すと、ロック解除ブロックが圧縮ばねによってリセットされる。
【００２４】
実施例４
図１７〜２３に示すように、本実施例において、下部ロックディスクアセンブリは、上部ディスク及び回転台を含む。上部ディスクの下底面に中空構造の中心軸が設けられる。回転台に中心軸の貫通用中央穴が設けられ、回転台の外壁に間隔をあけた２つの外部環状取付溝が設けられる。中心軸の外壁において、２つの外部環状取付溝に対応する位置に２つの内部環状取付溝が設けられ、２つの外部環状取付溝間に外部制限ブロックが設けられ、２つの内部環状取付溝間に内部制限ブロックが設けられる。弾性係止部材が外部環状取付溝内から入った後、弾性係止部材のノッチ外側がそれぞれ２つの外部制限ブロックに当たり、２つのロックレバーがそれぞれ２つの内部制限ブロックに当たる。２つのロックレバー間の幅は、内部制限ブロックの幅以上である。
【００２５】
ロックを解除するとき、回転台を回して、弾性係止部材のノッチ端を外部制限ブロックの移動方向の一側に位置し、外部制限ブロックによって押圧される。それにより、該側にあるロックレバーが傾斜し、同様に、他側のロックレバーも外側ファイバブロックの作用下で傾斜する。それにより、２つのロックレバー間の間隔が大きくなり、ロックスロットから解放され、センターロックロッドが弾性係止部材から解放され、ロック解除を実現する。
【符号の説明】
【００２６】
１  センターロックロッド、１０１  ロックスロット、１０２  係止部、２  上部ロックディスク、３  下部ロックディスクアセンブリ、３０１  上部ディスク、３０２  中間ディスク、３０３  下部ディスク、３０４  ガイド柱、３０５  ガイド溝、３０６  中央ベース、３０７  回転台、３０８  中心軸、３０９  中央穴、３１０  外部環状取付溝、３１１  外部制限ブロック、３１２  内部制限ブロック、４  弾性係止部材、４０１  アーク部、４０２  ロックレバー、５  ロック解除ブロック、６  ロック解除柱、７  圧縮ばね、８  ボタンカバー、９  傾斜した円錐面ブロック、１０  柱状ロック解除ブロック、１１  プルリング、１２  プルリング固定ブロック、１３  アーク状ノッチ。
【図１】
0003225802.tif 000003
【図２】
0003225802.tif 000004
【図３】
0003225802.tif 000005
【図４】
0003225802.tif 000006
【図５】
0003225802.tif 000007
【図６】
0003225802.tif 000008
【図７】
0003225802.tif 000009
【図８】
0003225802.tif 000010
【図９】
0003225802.tif 000011
【図１０】
0003225802.tif 000012
【図１１】
0003225802.tif 000013
【図１２】
0003225802.tif 000014
【図１３】
0003225802.tif 000015
【図１４】
0003225802.tif 000016
【図１５】
0003225802.tif 000017
【図１６】
0003225802.tif 000018
【図１７】
0003225802.tif 000019
【図１８】
0003225802.tif 000020
【図１９】
0003225802.tif 000021
【図２０】
0003225802.tif 000022
【図２１】
0003225802.tif 000023
【図２２】
0003225802.tif 000024
【図２３】
0003225802.tif 000025